(57)【特許請求の範囲】
【請求項１】
放送番組、または、デジタルカメラで撮像した画像を記憶可能な記憶手段を内蔵するテレビジョン受像機と、
上記テレビジョン受像機の記憶手段の記憶領域を指定するためのリモートコントローラと、
を具備する画像表示システムにおいて、
上記リモートコントローラによって上記テレビジョン受像機の記憶手段の記憶領域を指定すると、当該領域に記憶された画像を上記テレビジョン受像機で表示するようにしたことを特徴とする画像表示システム。
【請求項２】
上記テレビジョン受像機の記憶領域の指定は、上記リモートコントローラのチャンネル設定操作に応じて行われることを特徴とする請求項１に記載の画像表示システム。
【請求項３】
放送番組、または、デジタルカメラで撮像した画像を記憶可能な記憶手段を内蔵するテレビジョン受像機と、上記テレビジョン受像機を操作するためのリモートコントローラとを含み、上記リモートコントローラによって上記テレビジョン受像機の記憶手段の記憶領域を指定することによって上記指定記憶領域に記憶された画像を上記テレビジョン受像機で表示するようにした画像表示システムにおいて、
上記記憶領域の指定は、上記リモートコントローラのチャンネル設定操作に応じて行われることを特徴とする画像表示システム。
【請求項４】
個人ＩＤを入力するためのＩＤ入力手段を更に具備し、
該ＩＤ入力手段によって入力された個人ＩＤに対応する記憶領域の画像のみが表示可能であるようにしたことを特徴とする請求項３に記載の画像表示システム。
【発明の詳細な説明】
【０００１】
【発明の属する技術分野】
本発明は、光電変換により撮像を行う撮像素子を搭載するデジタルカメラで撮像した画像を家庭内のテレビジョン受像機に表示可能な画像表示システムに関する。
【０００２】
【従来の技術】
一般に、被写体像を電子画像信号に変換する撮像素子と、該撮像素子で撮像された電子画像信号を記録する記録媒体であるメモリカードと、その画像を表示する小型ディスプレイとを備えた電子撮影カメラ、所謂、デジタルカメラが知られている。
【０００３】
このデジタルカメラで撮影した画像を処理する場合には、パーソナルコンピュータ等の外部機器へ読み出すことが一般的な方法として行われている。即ち、図５の（Ａ）に示すように、デジタルカメラ１００のＵＳＢ端子等のインターフェース端子１０１とパーソナルコンピュータ２００の入力コネクタ（図示せず）とをケーブル３００で接続して、所望する画像をパーソナルコンピュータ２００内に取り込むように操作する。
【０００４】
しかしながら、このようなパーソナルコンピュータ２００を使用する場合には、パーソナルコンピュータ２００及びそれが管理する内蔵の記録装置（図示せず）に対する習熟が要求される。そこで、そのようなことを避けるため、特開平１１−２１５４５３号公報において、データ蓄積型のテレビジョン受像機が開示されている。即ち、図５の（Ｂ）に示すように、デジタル静止画像情報保管装置４００を使用するものであり、該デジタル静止画像情報保管装置４００は、半導体メモリカードを着脱自在に保持する保持装置４０１を備えている。そして、そのデジタル静止画像情報保管装置４００の出力端子は、ＮＳＴＣ方式などの標準放送方式のテレビジョン受像機５００に接続されている。なお、同図において、参照番号６００は、上記デジタル静止画像情報保管装置４００に種々の操作指令を発するリモートコントローラを示している。
【０００５】
このように、テレビジョン受像機５００にデジタル画像を表示するようにしたので、高度な技術を必要とせず、デジタル画像を再生できる。
【０００６】
【発明が解決しようとする課題】
しかしながら、前述した公報においては、デジタル静止画像情報保管装置４００に画像を単に記憶するだけであるため、すぐに画像データが判別つかない状態になったり、記憶装置がいっぱいになってしまう恐れがある。そこで、パーソナルコンピュータのような管理方法を導入すると、機器に習熟していない人にとっては、使い勝手の悪いものになってしまう。
【０００７】
また、テレビジョン受像機５００は通常いろいろな人が見るものであり、人に見られたくない画像については、プライバシーを保護する必要もある。
【０００８】
しかしながら、上記公報においては、この点については示唆されていない。
【０００９】
本発明は、上記の点に鑑みてなされたもので、家庭にあるテレビジョン受像機用のリモートコントローラを使って、簡単に個人領域を指定し、指定した領域にデジタルカメラで撮影した画像を記憶し、テレビジョン受像機の画面上で撮影画像を鑑賞できる画像表示システムを提供することを目的とする。
【００１０】
【課題を解決するための手段】
上記の目的を達成するために、本発明による画像表示システムは、放送番組、または、デジタルカメラで撮像した画像を記憶可能な記憶手段を内蔵するテレビジョン受像機と、上記テレビジョン受像機の記憶手段の記憶領域を指定するためのリモートコントローラと、を具備する画像表示システムにおいて、上記リモートコントローラによって上記テレビジョン受像機の記憶手段の記憶領域を指定すると、当該領域に記憶された画像を上記テレビジョン受像機で表示するようにしたことを特徴とする。
【００１１】
即ち、本発明の画像表示システムによれば、リモートコントローラによってテレビジョン受像機の記憶手段の記憶領域が指定されたとき、その指定記憶領域に記憶された画像をテレビジョン受像機で表示する。
【００１２】
従って、家庭にあるテレビジョン受像機用のリモートコントローラを使って、簡単に個人領域を指定し、指定した領域にデジタルカメラで撮影した画像を記憶し、テレビジョン受像機の画面上で撮影画像を鑑賞できるようになる。
【００１３】
また、上記の目的を達成するために、本発明による画像表示システムは、放送番組、または、デジタルカメラで撮像した画像を記憶可能な記憶手段を内蔵するテレビジョン受像機と、上記テレビジョン受像機を操作するためのリモートコントローラとを含み、上記リモートコントローラによって上記テレビジョン受像機の記憶手段の記憶領域を指定することによって上記指定記憶領域に記憶された画像を上記テレビジョン受像機で表示するようにした画像表示システムにおいて、上記記憶領域の指定は、上記リモートコントローラのチャンネル設定操作に応じて行われることを特徴とする。
【００１４】
即ち、本発明の画像表示システムによれば、リモートコントローラのチャンネル設定操作に応じてテレビジョン受像機の記憶手段の記憶領域の指定が行われ、この指定によって上記指定記憶領域に記憶された画像を上記テレビジョン受像機で表示する。
【００１５】
従って、家庭にあるテレビジョン受像機用のリモートコントローラを使って、簡単に個人領域を指定し、指定した領域にデジタルカメラで撮影した画像を記憶し、テレビジョン受像機の画面上で撮影画像を鑑賞できるようになる。
【００１６】
【発明の実施の形態】
以下、本発明の一実施の形態を図面を参照して説明する。
【００１７】
図１の（Ａ）は、本発明の一実施の形態に係る画像表示システムの適用された写真オーダシステムの構成を示すブロック図である。
【００１８】
ここで、本発明の一実施の形態に係る画像表示システムは、家１の中に設置されたテレビジョン受像機（以下、ＴＶと略記する。）１１と、該ＴＶ１１をコントロールするためのリモートコントローラ（以下、リモコンと略記する。）１２とからなる。
【００１９】
上記ＴＶ１１は、周知のように、放送局２から送信されてきた地上波または衛星電波をアンテナで受けることにより番組を視聴することができ、更には、ケーブル３を介して、サービスプロバイダ４から提供される有線放送を受信して視聴することができるようになっている。また、上記ケーブル３により、上記サービスプロバイダ４との間で情報交換ができるようになっている。
【００２０】
そして、ＴＶ１１は更に、ＣＰＵ（図示せず）とハードディスク（ＨＤＤ）等のデータ蓄積装置１３とを内蔵しており、ＣＰＵの制御により、画像データや放送番組を蓄積できるようになっている。
【００２１】
ここで、画像データは、撮像素子により被写体を写すためのデジタルカメラ１４によって撮影されたものである。該デジタルカメラ１４は、その画像データを、当該デジタルカメラ１４に対し着脱自在な記録媒体であるメモリカード１５に記憶する。
【００２２】
そして、本実施の形態においては、上記リモコン１２も、上記メモリカード１５を装填可能に構成されており、よって、上記デジタルカメラ１４で撮影された画像データを記憶したメモリカード１５を、上記デジタルカメラ１４から該リモコン１２に差し替えることができる。リモコン１２は、周知のように、赤外線等によりＴＶ１１に各種コマンドを無線送信可能に構成されており、本実施の形態では、更に、上記メモリカード１５に記憶された画像データをＴＶ１１に無線送信するものである。
【００２３】
ＴＶ１１は、こうしてリモコン１２によって送信されてきた画像データを、データ蓄積装置１３に蓄積する。
【００２４】
なお、リモコン１２には、図１の（Ｂ）に示すように、ＴＶチャンネルを直接選択するための数字キー１２Ａ、ＴＶ１１の電源オン／オフキー１２Ｂ、ＴＶチャンネルやメニュー選択時のアップ／ダウンキー１２Ｃ、音量調節キー１２Ｄ、選択結果が良ければ押すＯＫキー１２Ｅ、ＴＶ画面をビデオモードにするためのビデオキー１２Ｆ、ＴＶ画面を画像データ再生モードに設定するためのデジタルキー１２Ｇなどが配置されている。
【００２５】
即ち、上記デジタルキー１２ＧによりＴＶ１１が画像データ再生モードとなると、詳細は後述するように、該リモコン１２を使って上記データ蓄積装置１３に蓄積した画像データを再生したり、上記サービスプロバイダ４に印刷の指示ができる。
【００２６】
ここで、上記サービスプロバイダ４は、上記ＴＶ１１からケーブル３を介して送られたデータを受信し、要求に沿った処理を行うもので、上記印刷の指示を受けた時には、ラボラトリ（以下、ラボと略記する。）５に、画像印刷の指示と印刷すべき画像データとを送信する。この指示に従って、ラボ５はその画像を印刷し、出来上がった写真６を配達業者７に渡し、ユーザの家１に届けるようになっている。なおこの場合、配達業者７はユーザよりサービス代金を受け取るものとしても良いし、サービスプロバイダ４が一括して各ユーザの指定の口座から料金を引き落とすものとしても良い。
【００２７】
なお、上記ＴＶ１１は、特に図示はしていないが、家庭内のパーソナルコンピュータ等の外部機器とのインターフェースを備えており、上記データ蓄積装置１３に蓄積された画像データを外部機器に出力することや、逆に、外部機器から画像データを入力できるようになっている。従って、画像データをパーソナルコンピュータ等で加工し、その加工された画像データをサービスプロバイダ４を通してラボ５で印刷できる。また、該ＴＶが画像加工機能を備えていても良いことは勿論である。
【００２８】
図１の（Ｃ）は、上記データ蓄積装置１３のデータ蓄積構成の例を示す図である。即ち、放送番組は、テレビプログラム１，２，…として、蓄積指示を行った個人に無関係に共用の領域に記録されるが、画像データは、個人別に設けられた画像チャンネル５０，５１，…の内の、蓄積指示を行った個人に対応する画像チャンネルに記憶されるものである。
【００２９】
図２の（Ａ）は、上記リモコン１２のデジタルキー１２Ｇを押した場合にＴＶ画面１６に表示される画面１６Ａを示す図である。
【００３０】
即ち、この画面１６Ａ上では、リモコン１２からの画像データを受け付ける“１．転送、保存”モード、画像データを再生するための“２．再生”モード、ＴＶ１１に設けられたデータ蓄積装置１３から画像データを消去するための“３．消去”モード、及び、プリントを注文するための“４．注文”モードが、選択メニューとして表示される。
【００３１】
このような図２の（Ａ）の画面１６Ａにおいて、リモコン１２の数字キー１２Ａ中の“１”キーを押すと、“１．転送、保存”モードが選択される。このような転送、保存モードが選択されると、ＴＶ画面１６には、図２の（Ｂ）に示すような画面１６Ｂ１が表示される。この画面１６Ｂ１は、さらに画像データの転送先のチャンネルを選択する指示画面である。
【００３２】
ここで、リモコン１２の数字キー１２Ａによる直接入力で、あるいは、アップ／ダウンキー１２Ｃの操作により選択してＯＫキー１２Ｅを押すことで、チャンネルを選択すると、図２の（Ｂ）に示すように、個人ＩＤを指定するための画面１６Ｂ２となる。まだ当該チャンネルに個人ＩＤが設定されていない場合には、新規入力としてここで指定する。なお、当該チャンネルを共用とする場合には、この個人ＩＤ入力は不要である。
【００３３】
新規でＩＤを入力した場合には、ここで設定されたチャンネルに対応するデータ蓄積装置１３の領域（画像チャンネル）が、そのＩＤで識別される個人に割り当てられる。次回から個人で情報を見るときは、リモコン１２の数字キー１２Ａで直接このチャンネルを指定する（例えば、チャンネル５１であれば、“５”キー、“１”キーと押す）ことによって、番組放送と同じように、画像データもＴＶ画面１６に表示される（即ち、デジタルキー１２Ｇを押さなくても良い）。
【００３４】
なお、ここでは、チャンネル５０，５１，５２の３チャンネルとしているが、ＴＶ画面１６に表示されたメニューに従って該リモコン１２を操作することにより更に新規の画像チャンネルをデータ蓄積装置１３の空き領域に作成できることは勿論である。
【００３５】
上記画面１６Ｂ２でＩＤを入力すると、図２の（Ｂ）に示すような画面１６Ｂ３となる。この画面１６Ｂ３は、転送コマを指定するか、全コマ転送するかを確認する画面である。
【００３６】
ここで、リモコン１２の数字キー１２Ａの“１”キーを押した時は、さらに転送したいコマの数字キーを押すことで、該リモコン１２に装填されたメモリカード１５に記憶された全画像データの内、その選択されたコマに対応する画像データのみがＴＶ１１のデータ蓄積装置１３に転送され、上記選択チャンネルに対応する領域に保存される。
【００３７】
また、リモコン１２の数字キー１２Ａの“２”キーを押すと、全コマが選択され、該リモコン１２に装填されたメモリカード１５に記憶された全画像データがＴＶ１１のデータ蓄積装置１３に転送され、上記選択チャンネルに対応する領域に保存される。そして、その転送保存された全画像データが、図２の（Ｂ）に示すように、画面１６Ｂ４に縮小画像としてサムネイル表示される（この例は、全６コマの場合）。
【００３８】
なお、特に図示はしていないが、本実施の形態においては、リモコン１２もＣＰＵを備え、キー操作に応じて変更される画面として現在どのような画面がＴＶ画面１６に表示されているかの情報をＣＰＵ内蔵のＲＡＭに保持しておくようになっており、該転送モードにおいては、どのキーが押されたかにより転送すべき画像データを自動判別して、ＴＶ１１側に送信するようになっている。
【００３９】
しかしながら、リモコン１２をＴＶ１１との間で双方向に無線通信可能な構成として、ＴＶ１１側から送信すべき画像データを指示するコマンドをリモコン１２に送信し、リモコン１１ではねそのコマンドに応じてメモリカード１５に記憶された画像データをＴＶ１１側に転送するようにしても良いことは勿論である。
【００４０】
一方、図２の（Ａ）の画面１６Ａにおいて、リモコン１２の数字キー１２Ａの“３”キーを押すことで“３．消去”モードが選択されると、図２の（Ｃ）に示すような、消去するチャンネルを選択するための画面１６Ｃ１となる。
【００４１】
ここで、リモコン１２の数字キー１２Ａによる直接入力で、あるいは、アップ／ダウンキー１２Ｃの操作により選択してＯＫキー１２Ｅを押すことで、消去するチャンネルを選択すると、図２の（Ｃ）に示すような、さらに消去するコマ数を確認するための画面１６Ｃ２となる。
【００４２】
そして、この画面１６Ｃ２において、消去するコマ、例えばコマ２を選択すると、その選択されたコマに対応する画像データが消去され、図２の（Ｃ）に示す画面１６Ｃ３のように、そのコマが削除されたサムネイル表示が行われる。
【００４３】
また、図２の（Ａ）の画面１６Ａにおいて、リモコン１２の数字キー１２Ａの“２”キーを押すことで“２．再生”モードが選択されると、図３の（Ａ）に示すような、再生チャンネルを指定するための画面１６Ｄ１となる。
【００４４】
ここで、リモコン１２の数字キー１２Ａによる直接入力で、あるいは、アップ／ダウンキー１２Ｃの操作により選択してＯＫキー１２Ｅを押すことで、再生するチャンネルを選択すると、図３の（Ａ）に示すようなＩＤの確認画面１６Ｄ２となる。前述したように、各チャンネルは個人ユーザのデータ領域を示すので、このＩＤ確認により、プライバシーの保護ができる。
【００４５】
そして、リモコン１２にて正しいＩＤを入力したならば、その選択チャンネルに記憶されていた画像データが、図３の（Ａ）に示す画面１６Ｄ３のように、縮小画像としてサムネイル表示される。また、この画面１６Ｄ３においては、さらに、拡大表示する画像の選択を行えるようになっている。
【００４６】
即ち、さらにリモコン１２のアップ／ダウンキー１２Ｃの操作により、拡大したい画像データを選択し、ＯＫキー１２Ｅを押すことにより、図３の（Ａ）の画面１６Ｄ４のように、その選択された画像データが拡大表示される。またこのとき、当該画像データの詳細情報も併せて表示される。
【００４７】
あるいは、該拡大表示においては、ＴＶ画面１６全体を使って画像を表示するようにしても良いことは勿論である。この場合、画像データを、画面サイズに合わせた大きさで表示しても良いし、元サイズで表示しても良い。後者の場合、１画面に表示しきれないときには、リモコン１２のアップ／ダウンキー１２Ｃと音量調節キー１２Ｄにより上下左右にスクロール表示可能することが好ましい。
【００４８】
また、図２の（Ａ）の画面１６Ａにおいて、リモコン１２の数字キー１２Ａの“４”キーを押すことで“４．注文”モードが選択されると、図３の（Ｂ）に示すような、チャンネルを指定するための画面１６Ｅ１が表示される。
【００４９】
ここで、リモコン１２の数字キー１２Ａによる直接入力で、あるいは、アップ／ダウンキー１２Ｃの操作により選択してＯＫキー１２Ｅを押すことで、チャンネルを選択すると、図３の（Ｂ）に示すようなＩＤの確認画面１６Ｅ２となる。そして、リモコン１２にて正しいＩＤを入力したならば、図３の（Ｂ）に示すように、その選択チャンネルに記憶されていた画像データの内の印刷したい画像を選択するための画面１６Ｅ３が表示される。
【００５０】
ここで、リモコン１２の数字キー１２Ａによる直接入力で所望の画像データが選択指定されたならば、図３の（Ｂ）の画面１６Ｅ４のように、サムネイル表示において、その選択指定された画像データを識別表示する。
【００５１】
そして、リモコン１２のＯＫキー１２Ｅを押すことで確認がなされたならば、図４に示すように、プリント枚数、サイズ、オプションの各項目の選択のための画面１６Ｅ５が表示される。ユーザは、リモコン１２の数字キー１２Ａ又はアップ／ダウンキー１２ＣとＯＫキー１２Ｅにて、各項目を選択し、各項目について、数字キー１２Ａを使って指定する。
【００５２】
その後、ＯＫキー１２Ｅを押すと、図４に示す確認画面１６Ｅ６が表示され、更にＯＫキー１２Ｅを押すことで確定する。これにより、指定された画像データが、ユーザ情報と共に、ケーブル３によりサービスプロバイダ４側に送られ、前述したように、その画像データがラボ５で印刷されて、写真６が配達業者７により届けられることになる。
【００５３】
以上詳述したように、本一実施の形態によれば、家庭にあるＴＶ用のリモコンを使って、個人領域を指定し、指定した領域にデジタルカメラで撮影した画像を記憶し、ＴＶ画面上で撮影画像を鑑賞できる。
【００５４】
また、プリントしたい画像データを、ＴＶ画面を見ながら選択し発注できるようにしたので、画像データが判別つかない状態を避けることができ、記憶装置がいっぱいになってしまう恐れを回避することができる。更に、パソコンのような管理方法を学ぶ必要が無い。
【００５５】
また、人に見られたくない画像については、自分専用のチャンネルを用意しておき、プライバシーを保護することもできる。
【００５６】
なお、リモコン１２の操作に応じた前述したような各動作を、ＴＶ１１の不図示ＣＰＵが行うようプログラムされていることは言うまでも無いことであり、そのプログラムの詳細は、上記説明より明らかであるので、それを示すフローチャート等は省略する。
【００５７】
以上、一実施の形態に基づいて本発明を説明したが、本発明は上述した実施の形態に限定されるものではなく、本発明の要旨の範囲内で種々の変形や応用が可能なことは勿論である。
【００５８】
例えば、画像データはリモコン１２から送るようにしたが、直接、ＴＶ１１にメモリカード１５を装填して、上記に述べた操作を行うようにしても良いことは勿論である。
【００５９】
また、データ蓄積装置１３をＴＶ１１に内蔵するものとしたが、ビデオデッキのように、ＴＶ１１に外付けされるものであっても良い。
【００６０】
更には、画像データと同様に、放送番組も個人別にデータ蓄積装置１３に蓄積するようにしても良いことは勿論である。このようにすれば、例えば子供に見せたくないような放送番組でも、安心して蓄積しておくことができる。
【００６１】
【発明の効果】
以上詳述したように、本発明によれば、家庭にあるテレビジョン受像機用のリモートコントローラを使って、簡単に個人領域を指定し、指定した領域にデジタルカメラで撮影した画像を記憶し、テレビジョン受像機の画面上で撮影画像を鑑賞できる画像表示システムを提供することができる。
【図面の簡単な説明】
【図１】（Ａ）は本発明の一実施の形態に係る画像表示システムの適用された写真オーダシステムの構成を示すブロック図、（Ｂ）はリモコンのキー配置を示す図であり、（Ｃ）はデータ蓄積装置のデータ蓄積構成の例を示す図である。
【図２】（Ａ）はリモコンのデジタルキーを押した場合にＴＶ画面に表示される画面を示す図、（Ｂ）は“転送、保存”モードにおけるリモコン操作に応じた画面の変遷を示す図であり、（Ｃ）は“消去”モードにおけるリモコン操作に応じた画面の変遷を示す図である。
【図３】（Ａ）は“再生”モードにおけるリモコン操作に応じた画面の変遷を示す図であり、（Ｂ）は“注文”モードにおけるリモコン操作に応じた画面の変遷を示す図である。
【図４】“注文”モードにおけるリモコン操作に応じた図３の（Ｂ）に続く画面の変遷を示す図である。
【図５】（Ａ）はデジタルカメラで撮影した画像を処理する一般的な方法を示す図であり（Ｂ）は従来のデータ蓄積型のテレビジョン受像機を用いた方法を示す図である。
【符号の説明】
１      家
２      放送局
３      ケーブル
４      サービスプロバイダ
５      ラボラトリ（ラボ）
６      写真
７      配達業者
１１      テレビジョン受像機（ＴＶ）
１２      リモートコントローラ（リモコン）
１２Ａ      数字キー
１２Ｂ      電源オン／オフキー
１２Ｃ      アップ／ダウンキー
１２Ｅ      ＯＫキー
１２Ｆ      ビデオキー
１２Ｇ      デジタルキー
１３      データ蓄積装置
１４      デジタルカメラ
１５      メモリカード
１６      ＴＶ画面
【図１】
0003884263.tif 000002
【図２】
0003884263.tif 000003
【図３】
0003884263.tif 000004
【図４】
0003884263.tif 000005
【図５】
0003884263.tif 000006